(57)【要約】【課題】低コストで製造でき住宅建物にマッチする外構用ブロックと、その施工構造および製造方法を提供する【解決手段】粉砕した瓦が混入されたコンクリート原料によって形成された外構用ブロック１。この外構用ブロック１による壁用ブロック１ａおよび舗装路用ブロック１ｂが、住宅建物２の周縁に設けられ、外構用ブロック１のコンクリート原料中に混入されている粉砕れさた瓦と、住宅建物２の屋根２ａの瓦とが同じとなされた構造。コンクリート原料中に、産業廃棄物として発生する瓦の残材を所望の粒度に粉砕したものを、５〜９０重量％の割合で混入して所望の形状の外構用ブロック１に形成する外構用ブロックの製造方法。建築現場の屋根２ａの瓦工事において現場で発生する瓦の余剰材を使用し、住宅建物２の屋根２ａと同色調の外構用ブロック１を形成する外構用ブロックの製造方法。【選択図】　図３
2004052440.tif 000002
【特許請求の範囲】
【請求項１】
住宅建物周縁の外構壁や外構舗装路などに使用される外構用ブロックであって、
粉砕された瓦が混入されたコンクリート原料によって形成されてなることを特徴とする外構用ブロック。
【請求項２】
請求項１記載の外構用ブロックによる外構壁または外構舗装路の少なくとも何れか一方が、住宅建物の周縁に設けられてなる外構用ブロック構造であって、
外構用ブロックのコンクリート原料中に混入されている粉砕された瓦が、住宅建物の屋根瓦と同じとなされていることを特徴とする外構用ブロック構造。
【請求項３】
セメント、水などからなるコンクリート原料中に、産業廃棄物として発生する瓦の残材を所望の粒度に粉砕したものを、５〜９０重量％の割合で混入して所望の形状の外構用ブロックに形成することを特徴とする外構用ブロックの製造方法。
【請求項４】
建築現場の屋根瓦工事において現場で発生する瓦の余剰材を使用し、住宅建物の屋根と同色調の外構用ブロックを形成する請求項３記載の外構用ブロックの製造方法。
【発明の詳細な説明】
【０００１】
【発明の属する技術分野】
本発明は、住宅建物の外構壁や外構舗装路に使用される外構用ブロックと、その施工構造および製造方法に関するものである。
【０００２】
【従来の技術】
従来より、新築の住宅建物の屋根瓦工事において、現場で発生する瓦の余剰材や、端材加工残材は、産業廃棄物として大量に処理していた。
【０００３】
また、このような住宅建物を新築した場合、外構壁や外構舗装路に使用する外構用ブロックは、セメントに砂や砂利などを骨材として混入したものを原料として製造したものを使用していた。
【０００４】
このような外構用ブロックに着色する場合は、上記原料にベンガラ（成分：酸化第二鉄）などの高価な無機顔料を練り込んで着色していた。
【０００５】
【発明が解決しようとする課題】
しかし、上記従来のように現場で発生する瓦の余剰材や、端材加工残材を産業廃棄物として処理する場合、処理費用が発生することとなる。
【０００６】
また、外構用ブロックの原料にベンガラなどの無機顔料を練り込んで着色する場合、原料のコストが嵩むこととなる。そのため、このような無機顔料を練り込んだ原料を少なくとも外構用ブロックの表層部分だけに使用するといったことも考えられるが、このような外構用ブロックは、表面加工を施すことが多く、その方法は、スプリット（割肌）、ショットブラスト、切削、研摩加工など様々であるため、いずれも着色されている表層部分は、削られてしまい、着色されていない砂や砂利などの色が多く露出し易くなってしまうといった不都合を生じることとなる。
【０００７】
本発明は、係る実情に鑑みてなされたものであって、低コストで製造することができ、しかも住宅建物にマッチする外構用ブロックと、その外構用ブロックの施工構造および製造方法を提供することを目的としている。
【０００８】
【課題を解決するための手段】
上記課題を解決するための本発明の外構用ブロックは、住宅建物周縁の外構壁や外構舗装路などに使用される外構用ブロックであって、粉砕された瓦が混入されたコンクリート原料によって形成されてなるものである。
【０００９】
また、上記課題を解決するための本発明の外構用ブロック構造は、上記外構用ブロックによる外構壁または外構舗装路の少なくとも何れか一方が、住宅建物の周縁に設けられてなる外構用ブロック構造であって、外構用ブロックのコンクリート原料中に混入されている粉砕された瓦が、住宅建物の屋根瓦と同じとなされているものである。
【００１０】
さらに、上記課題を解決するための本発明の外構用ブロックの製造方法は、セメント、水などからなるコンクリート原料中に、産業廃棄物として発生する瓦の残材を所望の粒度に粉砕したものを、５〜９０重量％の割合で混入して所望の形状の外構用ブロックに形成するものである。
【００１１】
さらに、上記課題を解決するための本発明の外構用ブロックの製造方法は、建築現場の屋根瓦工事において現場で発生する瓦の余剰材を使用し、住宅建物の屋根と同色調の外構用ブロックを形成するものである。
【００１２】
【発明の実施の形態】
以下、本発明の実施の形態を図面を参照して説明する。
【００１３】
図１は外構用ブロック１の一例である壁用ブロック１ａの全体構成の概略を示し、図２は外構用ブロック１の他の一例である舗装路用ブロック１ｂの全体構成の概略を示し、図３は同壁用ブロック１ａおよび舗装路用ブロック１ｂを使用した住宅建物２を示している。
【００１４】
この外構用ブロック１は、セメント、水などからなるコンクリート原料中に、粉砕した瓦を混入して所望の形状の壁用ブロック１ａや舗装路用ブロック１ｂに形成している。
【００１５】
コンクリート原料は、セメント、水、砂や砂利などの骨材、ベンガラなどの無機顔料、混和材などを所望の割合で調合して構成されている。これらは、練り混ぜて生コンクリートとした後、所望形状の型枠に打設し、養生硬化したのち脱型、あるいは脱型したのち養生硬化させ、必要に応じた表面加工を施して所望の形状の壁用ブロック１ａや舗装路用ブロック１ｂに形成される。
【００１６】
この際、コンクリート原料中に粉砕した瓦を混入することにより、この粉砕した瓦は、骨材や無機顔料として働くこととなる。
【００１７】
この粉砕した瓦を混入する量としては、特に限定されるものではなく、形成する外構用ブロック１に応じて適宜調節される。
【００１８】
例えば、外構用ブロック１の着色を濃くしたいような場合には、骨材を減らす、もしくは使用せず、この粉砕した瓦を大量に使用し、着色が足りないような場合には、さらに無機顔料などを少量加える。これにより、外構用ブロック１には、粉砕した瓦特有の色が濃く発現することとなる。
【００１９】
また、外構用ブロック１の着色を薄くしたいような場合には、この粉砕した瓦の使用量を控え、不足分を通常の骨材で補う。これにより、外構用ブロック１には、粉砕した瓦特有の色が薄く発現することとなる。
【００２０】
この粉砕した瓦の混入量としては、コンクリート原料中５〜９０重量％の範囲とすることが好ましい。５重量％以下だと、粉砕した瓦を入れる意味が無くなってしまう。また、９０重量％を越えると、残部をセメントおよび水としても、硬化させることができなくなってしまう。
【００２１】
また、この粉砕した瓦の粒度としても、特に限定されるものではなく、形成する外構用ブロック１に応じて適宜調節される。この際、粉砕した瓦は、粒度の異なるものを複数種類混入するものであってもよい。
【００２２】
この際、粉砕する瓦としては、特に限定されるものではないが、産業廃棄物として発生する瓦の残材を使用すれば、コストの低減を図ることができる。また、建築現場で住宅建物２を新築する際に、屋根２ａの瓦工事で発生する瓦の余剰材を使用してもよい。
【００２３】
このような現場で発生する瓦の余剰材を使用して形成した壁用ブロック１ａや舗装路用ブロック１ｂは、着色顔料によって色調を調節するようなことをしなくても、住宅建物２の屋根２ａの瓦と色調を同じにすることができる。
【００２４】
また、この外構用ブロック１は、コンクリート原料中に粉砕した瓦を混入して内部を含めた全体に着色しているので、スプリット（割肌）、ショットブラスト、切削、研摩加工など様々な加工を表面に施しても着色されていない部分が露出するといったことにならない。
【００２５】
ただし、この粉砕した瓦を使用して形成される外構用ブロック１は、瓦特有の色の発現以外に、規格値を満たすだけの充分な強度を確保できる範囲内で使用しなければならない。
【００２６】
【実施例１】
陶器瓦を粒度１０ｍｍ以下に粉砕し、この粉砕した瓦を６０重量％、セメントを１５重量％、水を３重量％、砂を２２重量％となるように配合したコンクリート原料を使用して図１に示すような壁用ブロック１ａを形成した。
【００２７】
この壁用ブロック１ａの両面には、高さ方向に断面Ｖ字状の溝加工１１を施した。
【００２８】
この壁用ブロック１ａは、ＪＩＳ　Ａ　５４０６　圧縮強さによる区分１６に示す圧縮強さの規格値８．０Ｎ／ｍｍ２　以上に対し、圧縮強さ１０．５Ｎ／ｍｍ２　、密度１．９ｇ／ｃｍ３　の高強度が得られた。
【００２９】
また、このコンクリートブロック１ａには、陶器瓦特有の黄赤色の色が発現された。
【００３０】
【発明の効果】
以上述べたように、本発明の外構用ブロックによると、セメントに粉砕した瓦を混入しているので、この瓦の色が、外構用ブロックに施されることとなる。
【００３１】
また、この外構用ブロックは、産業廃棄物として発生する瓦の残材を使用すれば、安価に製造することができる。
【００３２】
また、建築現場の屋根瓦工事において現場で発生する瓦の余剰材を使用することで、住宅建物の屋根の色調と、外構用ブロックの色調とを合わせることができることとなる。
【図面の簡単な説明】
【図１】外構用ブロックの一例である壁用ブロックを示す斜視図である。
【図２】外構用ブロックの他の実施の形態である舗装路用ブロックを示す斜視図である。
【図３】壁用ブロックおよび舗装路用ブロックを使用した住宅建物を示す斜視図である。
【符号の説明】
１　外構用ブロック
１ａ　壁用ブロック
１ｂ　舗装路用ブロック
２　住宅建物
２ａ　屋根
【図１】
2004052440.tif 000003
【図２】
2004052440.tif 000004
【図３】
2004052440.tif 000005